(57)【特許請求の範囲】
【請求項１】
データの参照情報から参照先にアクセスして印刷対象データを取得する取得部と，
前記取得部にて取得した印刷対象データが複数のフレームによって構成されているか否かを判断する判断部と，
前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部と，
前記選択部によって選択された印刷対象を印刷する印刷部と，
前記取得部にて取得した印刷対象データが複数のフレームで構成されている場合に，各フレームに含まれている情報を報知する報知部と，
前記報知部によって報知されているフレームの中から，印刷対象となるフレームをユーザ入力によって指定する指定部と，
を備え，
前記報知部は，フレームごとに，フレーム内に含まれるキーワードを抽出し，抽出されたキーワードを報知し，
前記選択部は，前記判断部にて複数のフレームで構成されていると判断された場合，前記指定部の指定に従って印刷対象のフレームを選択することを特徴とする印刷装置。
【請求項２】
請求項１に記載する印刷装置において，
前記報知部は，全フレームに占める割合をフレームごとに報知することを特徴とする印刷装置。
【請求項３】
請求項１または請求項２に記載する印刷装置において，
前記報知部は，各フレームの表示の配置関係を示す配置図を報知することを特徴とする印刷装置。
【請求項４】
請求項１から請求項３のいずれか１つに記載する印刷装置において，
印刷対象となるフレームを選択する選択条件を記憶する条件記憶部と，
前記選択条件をユーザ指示によって設定する設定部と，
を備え，
前記選択部は，前記判断部にて複数のフレームで構成されていると判断された場合，前記条件記憶部に記憶されている選択条件を読み出し，当該選択条件に従って印刷対象のフレームを選択することを特徴とする印刷装置。
【請求項５】
請求項４に記載する印刷装置において，
前記設定部は，全フレームに占める割合が最も大きいフレームを選択条件として設定することを特徴とする印刷装置。
【請求項６】
請求項４または請求項５に記載する印刷装置において，
前記設定部は，キーワードが含まれるフレームを選択条件として設定することを特徴とする印刷装置。
【請求項７】
請求項１から請求項６のいずれか１つに記載する印刷装置において，
前記選択部は，前記取得部にて取得した印刷対象データに対する印刷指示を受け付けた後であって印刷開始前に印刷対象を選択することを特徴とする印刷装置。
【請求項８】
請求項１から請求項７のいずれか１つに記載する印刷装置において，
文字サイズをユーザ入力によって指定する文字サイズ指定部と，
前記取得部にて取得した印刷対象データに含まれる文字の文字サイズを，前記文字サイズ指定部に指定された文字サイズに変更する変更部と，
を備えることを特徴とする印刷装置。
【請求項９】
請求項１から請求項８のいずれか１つに記載する印刷装置において，
ユーザ認証を行う認証部と，
ユーザと文字サイズとを対応付けて記憶する文字サイズ記憶部と，
前記認証部によって認証されたユーザに対応する文字サイズを，前記文字サイズ記憶部から取得する文字サイズ取得部と，
前記取得部にて取得した印刷対象データに含まれる文字の文字サイズを，前記文字サイズ取得部にて取得した文字サイズに変更する第２変更部と，
を備えることを特徴とする印刷装置。
【請求項１０】
データの参照情報から参照先にアクセスして印刷対象データを取得する取得部と，
前記取得部にて取得した印刷対象データが複数のフレームによって構成されているか否かを判断する判断部と，
前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部と，
前記選択部によって選択された印刷対象を印刷する印刷部と，
前記取得部にて取得した印刷対象データが複数のフレームで構成されている場合に，各フレームに含まれている情報を報知する報知部と，
前記報知部によって報知されているフレームの中から，印刷対象となるフレームをユーザ入力によって指定する指定部と，
を備え，
前記報知部は，全フレームに占める割合をフレームごとに報知し，
前記選択部は，前記判断部にて複数のフレームで構成されていると判断された場合，前記指定部の指定に従って印刷対象のフレームを選択することを特徴とする印刷装置。
【請求項１１】
データの参照情報から参照先にアクセスして印刷対象データを取得する取得部と，
前記取得部にて取得した印刷対象データが複数のフレームによって構成されているか否かを判断する判断部と，
前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部と，
前記選択部によって選択された印刷対象を印刷する印刷部と，
前記取得部にて取得した印刷対象データが複数のフレームで構成されている場合に，各フレームに含まれている情報を報知する報知部と，
前記報知部によって報知されているフレームの中から，印刷対象となるフレームをユーザ入力によって指定する指定部と，
を備え，
前記報知部は，各フレームの表示の配置関係を示す配置図を報知し，
前記選択部は，前記判断部にて複数のフレームで構成されていると判断された場合，前記指定部の指定に従って印刷対象のフレームを選択することを特徴とする印刷装置。
【請求項１２】
データの参照情報から参照先にアクセスして印刷対象データを取得する取得部と，
前記取得部にて取得した印刷対象データが複数のフレームによって構成されているか否かを判断する判断部と，
前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部と，
前記選択部によって選択された印刷対象を印刷する印刷部と，
ユーザ認証を行う認証部と，
ユーザと文字サイズとを対応付けて記憶する文字サイズ記憶部と，
前記認証部によって認証されたユーザに対応する文字サイズを，前記文字サイズ記憶部から取得する文字サイズ取得部と，
前記取得部にて取得した印刷対象データに含まれる文字の文字サイズを，前記文字サイズ取得部にて取得した文字サイズに変更する文字変更部と，
を備えることを特徴とする印刷装置。
【請求項１３】
データの参照情報から参照先にアクセスして印刷対象データを取得する取得部と，
前記取得部にて取得した印刷対象データが複数のフレームによって構成されているか否かを判断する判断部と，
印刷対象となるフレームを選択する選択条件を記憶する条件記憶部と，
前記選択条件をユーザ指示によって設定する設定部と，
前記判断部にて複数のフレームで構成されていると判断された場合には，前記条件記憶部に記憶されている選択条件を読み出し，当該選択条件に合致するフレームを印刷対象とするフレームとして選択し，複数のフレームで構成されていないと判断された場合には，選択条件の読み出しを実行せず，前記印刷対象データを構成する単一のフレームを印刷対象として選択する選択部と，
前記選択部によって選択された印刷対象を印刷する印刷部と，
を備えることを特徴とする印刷装置。
【請求項１４】
情報処理装置を，
データの参照情報から参照先にアクセスして印刷対象データを取得する取得手段と，
前記取得手段にて取得した印刷対象データが複数のフレームによって構成されているか否かを判断する判断手段と，
前記判断手段にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択手段と，
前記取得手段にて取得した印刷対象データが複数のフレームで構成されている場合に，各フレームに含まれている情報を報知する報知手段と，
前記報知手段によって報知されているフレームの中から，印刷対象となるフレームをユーザ入力によって指定する指定手段と，
として機能させ，
前記報知手段は，フレームごとに，フレーム内に含まれるキーワードを抽出し，抽出されたキーワードを報知し，
前記選択手段は，前記判断手段にて複数のフレームで構成されていると判断された場合，前記指定手段の指定に従って印刷対象のフレームを選択することを特徴とするプログラム。
【請求項１５】
参照先に格納されている印刷対象データを印刷する印刷システムにおいて，
データの参照情報から参照先にアクセスして印刷対象データを取得する取得部と，
前記取得部にて取得した印刷対象データが複数のフレームによって構成されているか否かを判断する判断部と，
前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部と，
前記取得部にて取得した印刷対象データが複数のフレームで構成されている場合に，各フレームに含まれている情報を報知する報知部と，
前記報知部によって報知されているフレームの中から，印刷対象となるフレームをユーザ入力によって指定する指定部と，
を備え，
前記報知部は，フレームごとに，フレーム内に含まれるキーワードを抽出し，抽出されたキーワードを報知し，
前記選択部は，前記判断部にて複数のフレームで構成されていると判断された場合，前記指定部の指定に従って印刷対象のフレームを選択することを特徴とする印刷システム。
【発明の詳細な説明】
【技術分野】
【０００１】
本発明は，印刷装置，プログラムおよび印刷システムに関する。さらに詳細には，データの参照情報を取得し，その参照情報に記憶されている参照先からデータを取得して印刷する機能を有する印刷装置，プログラムおよび印刷システムに関するものである。
【背景技術】
【０００２】
従来から，データの参照情報を取得し，その参照情報に記憶されている参照先からデータを取得して印刷する機能を有する印刷装置がある。例えば，Ｗｅｂページを参照するためのＵＲＬ情報を取得し，そのＵＲＬ情報の参照先であるＷｅｂページから印刷対象データ（コンテンツ）を取得して印刷する印刷装置が知られている。
【０００３】
上述のようにＷｅｂページを印刷する印刷装置に関する技術文献としては，例えば特許文献１がある。特許文献１では，一度印刷したＷｅｂページのＵＲＬ情報およびコンテンツを記憶し，次回にそのＷｅｂページを印刷する際には，記憶したコンテンツを印刷するか，ＵＲＬ情報を参照して最新のコンテンツを取得して印刷するかを選択する印刷装置が開示されている。
【先行技術文献】
【特許文献】
【０００４】
【特許文献１】特開２００８−２６９１５９号公報
【発明の概要】
【発明が解決しようとする課題】
【０００５】
しかしながら，前記した従来の技術には，次のような問題があった。すなわち，１つの画面に複数の画像領域（フレーム）を有するデータを印刷する場合，必ずしもユーザが意図する印刷物が得られるとは限らない。例えば，フレーム個別に印刷を希望することもあれば，データ全体の印刷を希望することもある。そのため，印刷結果がユーザの意図と必ずしも一致しない。
【０００６】
本発明は，前記した従来の印刷装置が有する問題点を解決するためになされたものである。すなわちその課題とするところは，複数のフレームを有するデータを印刷する際，ユーザの意図を反映した印刷結果が得られる可能性が高い印刷装置，プログラムおよび印刷システムを提供することにある。
【課題を解決するための手段】
【０００７】
この課題の解決を目的としてなされた印刷装置は，データの参照情報から参照先にアクセスして印刷対象データを取得する取得部と，前記取得部にて取得した印刷対象データが複数のフレームによって構成されているか否かを判断する判断部と，前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部と，前記選択部によって選択された印刷対象を印刷する印刷部とを備えることを特徴としている。
【０００８】
本発明の印刷装置は，データの参照情報に記憶されている参照先にアクセスし，印刷対象データを取得する。参照情報は，データの格納場所を特定する情報であり，例えばＵＲＬ（Uniform Resource Locator）で記載された情報が該当する。そして，本発明の印刷装置は，取得した印刷対象データのフレーム構成を判断し，複数のフレームを有する場合には，印刷対象となるフレームをユーザの指示に従って選択する。ユーザ指示によるフレームの選択方法としては，ユーザにどのフレームを印刷対象とするかを入力させる直接的な方法であってもよいし，ユーザに印刷対象となるフレームの条件をあらかじめ設定してもらい，その条件を満たすフレームを印刷装置が選択する間接的な方法であってもよい。本発明の印刷装置は，選択されたフレームを印刷する。
【０００９】
すなわち，本発明の印刷装置は，印刷対象データが複数のフレームで構成されていた場合，その印刷対象データを印刷する前に，ユーザ指示によって印刷対象となるフレームを選択する。一方，印刷対象データが複数のフレームで構成されていない場合，つまり単一のフレームで構成されている場合には，その単一のフレームを選択する。これにより，ユーザの意図を印刷に反映することができ，ユーザの意図に反する印刷結果となる可能性を低減できる。
【００１０】
また，本発明の印刷装置は，前記取得部にて取得した印刷対象データが複数のフレームで構成されている場合に，各フレームに含まれている情報を報知する報知部と，前記報知部によって報知されているフレームの中から，印刷対象となるフレームをユーザ入力によって指定する指定部とを備え，前記選択部は，前記判断部にて複数のフレームで構成されていると判断された場合，前記指定部の指定に従って印刷対象のフレームを選択するとよい。フレームを手動で選択する際，印刷対象データに含まれる各フレームの情報を表示することで，その情報がフレーム選択のヒントとなる。そのため，ユーザの意図に合ったフレームの選択が期待できる。
【００１１】
例えば，本発明の印刷装置は，前記報知部は，フレームごとに，フレーム内に含まれるキーワードを抽出し，抽出されたキーワードを報知するとよい。キーワードが抽出されることで，ユーザは各フレームの内容を推測することができ，フレームを選択し易くなる。
【００１２】
また，例えば，前記報知部は，全フレームに占める割合をフレームごとに報知するとよい。全フレームに占める表示面積割合（占有率）が大きいほど，情報量が多く重要性が高い傾向にある。そのため，各フレームの占有率を報知することで，ユーザは各フレームの重要性あるいは情報量を推測することができ，フレームを選択し易くなる。
【００１３】
また，例えば，前記報知部は，各フレームの表示の配置関係を示す配置図を報知するとよい。中央に配置されるフレームほど，重要性が高い傾向にある。そのため，フレームの配置を配置図として報知することで，ユーザは視覚によって各フレームの重要性を推測することができ，フレームを選択し易くなる。
【００１４】
また，本発明の印刷装置は，印刷対象となるフレームを選択する選択条件を記憶する条件記憶部と，前記選択条件をユーザ指示によって設定する設定部とを備え，前記選択部は，前記判断部にて複数のフレームで構成されていると判断された場合，前記条件記憶部に記憶されている選択条件を読み出し，当該選択条件に従って印刷対象のフレームを選択するとよい。印刷対象となるフレームを，ユーザがあらかじめ設定した選択条件に基づいて自動選択することで，ユーザが毎回フレームを選択する手間を省くことができる。
【００１５】
また，例えば，前記設定部は，全フレームに占める割合が最も大きいフレームを選択条件として設定するとよい。全フレームに占める表示面積割合（占有率）が最大のフレームが最も重要性が高く最も情報量が多い傾向にあり，印刷対象として好適である。
【００１６】
また，例えば，本発明の印刷装置は，前記設定部は，キーワードが含まれるフレームを選択条件として設定するとよい。キーワードが含まれているフレームは，ユーザが印刷を希望する情報が含まれる可能性が高く，印刷対象として好適である。
【００１７】
また，本発明の印刷装置の前記選択部は，前記取得部にて取得した印刷対象データに対する印刷指示を受け付けた後であって印刷開始前に印刷対象を選択するとよい。印刷対象データの印刷が確定する前にユーザ指示を受け付けると，印刷する意思が無いユーザにとっては煩わしい。そのため，印刷指示を受け付けた後であって印刷開始前に印刷対象を選択する方が好ましい。
【００１８】
また，本発明の印刷装置は，文字サイズをユーザ入力によって指定する文字サイズ指定部と，前記取得部にて取得した印刷対象データに含まれる文字の文字サイズを，前記文字サイズ指定部に指定された文字サイズに変更する変更部とを備えるとよい。ユーザが自由に文字サイズを変更できることで，よりユーザにとって見易い印刷物を出力できる。
【００１９】
また，本発明の印刷装置は，ユーザ認証を行う認証部と，ユーザと文字サイズとを対応付けて記憶する文字サイズ記憶部と，前記認証部によって認証されたユーザに対応する文字サイズを，前記文字サイズ記憶部から取得する文字サイズ取得部と，前記取得部にて取得した印刷対象データに含まれる文字の文字サイズを，前記文字サイズ取得部にて取得した文字サイズに変更する第２変更部とを備えるとよい。この構成により，ユーザに合った文字サイズに自動変更できることから，ユーザは何度も文字サイズを設定する手間が少ない。
【００２０】
また，本発明は，情報処理装置を，データの参照情報から参照先にアクセスして印刷対象データを取得する取得手段と，前記取得部にて取得した印刷対象データが複数のフレームによって構成されているか否かを判断する判断手段と，前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択手段として機能させることを特徴とするプログラムを含んでいる。
【００２１】
また，本発明は，参照先に格納されている印刷対象データを印刷する印刷システムであって，データの参照情報から参照先にアクセスして印刷対象データを取得する取得部と，前記取得部にて取得した印刷対象データが複数のフレームによって構成されているか否かを判断する判断部と，前記判断部にて複数のフレームで構成されていると判断された場合には，印刷対象とするフレームの少なくとも１つをユーザ指示によって選択し，複数のフレームで構成されていないと判断された場合には，単一のフレームを印刷対象として選択する選択部とを備えることを特徴とする印刷システムを含んでいる。
【発明の効果】
【００２２】
本発明によれば，複数のフレームを有するデータを印刷する際，ユーザの意図を反映した印刷結果が得られる可能性が高い印刷装置，プログラムおよび印刷システムが実現される。
【図面の簡単な説明】
【００２３】
【図１】実施の形態にかかるプリンタの電気的構成を示すブロック図である。
【図２】Ｗｅｂページ印刷の設定画面（第１画面）を示す図である。
【図３】プリンタによるＷｅｂページ印刷処理の手順を示すフローチャートである。
【図４】フレーム手動選択時の選択画面（フレームマップ表示）を示す図である。
【図５】フレーム手動選択時の選択画面（キーワード表示）を示す図である。
【図６】フレーム手動選択時の選択画面（占有率表示）を示す図である。
【図７】実施の形態にかかるフォント変更処理の手順を示すフローチャートである。
【図８】Ｗｅｂページ印刷の設定画面（第２画面）を示す図である。
【図９】文字サイズ手動指定時の選択画面を示す図である。
【図１０】ＰＣによるＷｅｂページ印刷処理の手順を示すフローチャートである。
【発明を実施するための形態】
【００２４】
以下，本発明にかかる印刷装置を具体化した実施の形態について，添付図面を参照しつつ詳細に説明する。本形態は，Ｗｅｂページから印刷対象データを取得して印刷する機能を有するプリンタに本発明を適用したものである。
【００２５】
［プリンタの構成］
本形態のプリンタ１００（印刷装置の一例）は，図１に示すように，ＣＰＵ３１と，ＲＯＭ３２と，ＲＡＭ３３と，ＮＶＲＡＭ（Non Volatile RAM）３４とを備えた制御部３０を備えている。また，制御部３０は，用紙に画像を印刷する画像形成部１０と，動作状況の表示やユーザによる入力操作の受付を行う操作パネル４０と，ネットワークインターフェース３７と，ＵＳＢインターフェース３８とに，電気的に接続されている。
【００２６】
ＲＯＭ３２には，プリンタ１００を制御するための制御プログラムであるファームウェアや各種設定，初期値等が記憶されている。ＲＡＭ３３およびＮＶＲＡＭ３４は，各種制御プログラムが読み出される作業領域として，あるいは印刷データを一時的に記憶する記憶領域として利用される。また，ＮＶＲＡＭ３４（条件記憶部，文字サイズ記憶部の一例）は，出荷後にユーザによって設定される各種の設定を記憶する記憶領域として利用される。
【００２７】
ＣＰＵ３１（取得部，判断部，選択部，指定部，設定部，文字サイズ指定部，変更部，認証部，文字サイズ取得部，第２変更部の一例）は，ＲＯＭ３２から読み出した制御プログラムや各種センサから送られる信号に従って，その処理結果をＲＡＭ３３またはＮＶＲＡＭ３４に記憶させながら，プリンタ１００の各構成要素を制御する。
【００２８】
ネットワークインターフェース３７およびＵＳＢインターフェース３８は，他の装置との通信を可能にするインターフェースである。プリンタ１００は，これらのインターフェースを介して他の装置から送信されるデータを受信する。
【００２９】
本形態では，プリンタ１００は，ネットワークインターフェース３７を介して，プリンタ１００用のプリンタドライバ２１０が組み込まれたパーソナルコンピュータ（ＰＣ）２００や，Ｗｅｂページを格納するＷｅｂサーバ３００との通信が可能になっている。
【００３０】
この他，ＵＳＢインターフェース３８を介して他の装置を利用してもよい。例えば，ＵＳＢインターフェース３８にフラッシュメモリが装着されている場合には，そのフラッシュメモリを記憶領域として利用できる。また，キーボードが装着されている場合には，そのキーボードを利用して入力操作を行うことができる。
【００３１】
また，画像形成部１０（印刷部の一例）は，用紙に画像を印刷することができればよく，画像形成方式については電子写真方式であってもインクジェット方式であってもよい。また，カラー印刷が可能であってもよく，モノクロ印刷専用であってもよい。
【００３２】
また，操作パネル４０（報知部の一例）は，ユーザ入力を受け付ける各種のボタンと，文字情報やボタン等を表示するタッチパネル画面とを有している。各種のボタンとしては，例えば，印刷動作の開始を指示するＯＫボタンや，印刷動作のキャンセルを指示するキャンセルボタンがある。
【００３３】
［第１の形態］
［プリンタの制御］
続いて，プリンタ１００の制御について説明する。第１の形態のプリンタ１００は，Ｗｅｂページを参照するためのＵＲＬ情報を取得し，そのＵＲＬ情報に基づいてＷｅｂページから印刷対象データ（コンテンツ）を取得し，そのコンテンツを印刷するＷｅｂページ印刷機能を有している。
【００３４】
Ｗｅｂページ印刷を行う際には，先ず，ユーザが操作パネル４０を操作してＷｅｂページ印刷の実行指示を入力する。プリンタ１００は，その実行指示が入力されると，ＵＲＬの入力を促す入力画面を表示する。ユーザは，その入力画面にＷｅｂページのＵＲＬ情報を入力する。例えば，Ｗｅｂサーバ３００（図１参照）の所定のディレクトリに格納されているＷｅｂページの情報を印刷する場合には，そのディレクトリパスを含むＵＲＬ情報を入力する。その後，操作パネル４０のＯＫボタンを押下する。
【００３５】
プリンタ１００は，ＯＫボタンが押下されると，入力されたＵＲＬ情報を取得し，そのＵＲＬ情報に基づいてＷｅｂサーバ３００の所定のディレクトリにアクセスし，印刷対象データを自機のメモリ領域にダウンロードする。そして，ダウンロードした印刷対象データの印刷を実行する。
【００３６】
また，ダウンロードした印刷対象データには，複数の画像領域（フレーム）を有するものがある。一方で，プリンタ１００のタッチパネル画面は，ダウンロードしたＷｅｂページを表示する機能を有していないため，ユーザにとっては印刷対象データが複数のフレームで構成されているか否かを把握した上で印刷指示を入力する場面は少ない。そのため，ユーザが自発的に印刷対象のフレームを選択することは期待し難い。そこで，プリンタ１００は，印刷対象データのフレーム構成を解析し，印刷対象データが複数のフレームを有するデータであった場合に，全体を１つの印刷対象として印刷するか，フレーム単位で印刷するかをユーザに選択させる。また，フレーム単位で印刷する場合には，どのフレームを印刷するかをユーザに選択させる。
【００３７】
具体的にプリンタ１００は，操作パネル４０のタッチパネル画面４１に，図２に示すようなＷｅｂページ印刷設定画面４１０を表示し，フレームの選択方法の設定を受け付ける。ユーザは，Ｗｅｂページ印刷の実行指示を入力する前に，あらかじめフレームの選択方法の設定を行っておく。Ｗｅｂページ印刷設定画面４１０では，フレームごとの印刷を行うか否かを設定するフレーム選択の設定（図２の（１））や，フレームの選択をプリンタ１００が自動で行うか手動で行うかを設定するフレーム選択方法の設定（図２の（２））や，フレームをプリンタ１００が自動選択する際，どのようなフレームを選択するのかを設定するフレーム自動選択の設定（図２の（３））がある。設定内容は，ＮＶＲＡＭ３４に記憶される。各々の選択方法の詳細については後述する。
【００３８】
［Ｗｅｂページ印刷処理］
続いて，前述したＷｅｂページ印刷機能を実現するＷｅｂページ印刷処理（取得部，判断部，選択部，指定部の一例）について，図３のフローチャートを参照しつつ説明する。Ｗｅｂページ印刷処理は，ＵＲＬ情報が入力された後にＯＫボタンの押下を受け付けたことを契機に，ＣＰＵ３１によって実行される。
【００３９】
Ｗｅｂページ印刷処理では，先ず，入力されたＵＲＬ情報を取得し，そのＵＲＬ情報に基づいて印刷対象データを取得する（Ｓ１０１，取得部の一例）。すなわち，ＵＲＬ情報に記憶されている参照先のＷｅｂページにアクセスし，印刷対象データをダウンロードする。
【００４０】
次に，フレーム選択の設定（図２の（１））がオンか否かを判断する（Ｓ１０２）。フレーム選択の設定がオフの場合は（Ｓ１０２：ＮＯ），印刷対象が複数のフレームから構成される場合であっても，纏めて１つの画像として扱う。そのため，全体を１つのフレームとして扱い，その単一フレームを選択して（Ｓ１１１），Ｓ１０８に移行する。
【００４１】
一方，フレーム選択の設定がオンの場合は（Ｓ１０２：ＹＥＳ），Ｓ１０１で取得した印刷対象データのフレーム構成を解析する（Ｓ１０３）。具体的には，各フレームの配置やサイズを解析する。また，必要に応じて各フレームに含まれる文字情報を解析する。
【００４２】
次に，印刷対象データが複数のフレームを有しているか否かを判断する（Ｓ１０４，判断部の一例）。印刷対象データが複数のフレームを有していない，すなわち単一のフレームで構成されている場合には（Ｓ１０４：ＮＯ），その単一フレームを選択して（Ｓ１１１，選択部の一例），Ｓ１０８に移行する。
【００４３】
印刷対象データが複数のフレームで構成されている場合には（Ｓ１０４：ＹＥＳ），フレーム選択方法の設定（図２の（２））が自動か否かを判断する（Ｓ１０５）。フレーム選択方法を自動で行わない，すなわちユーザが手動でフレームを選択する場合には（Ｓ１０５：ＮＯ），操作パネル４０のタッチパネル画面４１に，ユーザにフレームを選択させるためのフレーム手動選択画面を表示する（Ｓ１０６）。
【００４４】
第１の形態のプリンタ１００では，フレーム手動選択画面として，図４に示すようなフレーム配置を表示したフレームマップ表示画面４２０と，図５に示すような各フレームに含まれるキーワードを表示したキーワード表示画面４３０と，図６に示すような各フレームの全フレームに占める表示面積割合を表示した占有率表示画面４４０とを有している。Ｓ１０６では，初期画面としてフレームマップ表示画面４２０を表示する。
【００４５】
フレームマップ表示画面４２０には，キーワード表示画面４３０に表示を切り替えるためのキーワードボタン４１３と，占有率表示画面４４０に表示を切り替えるための占有率ボタン４１４が表示される。また，キーワード表示画面４３０には，フレームマップ表示画面４２０に表示を切り替えるためのマップボタン４１２と，占有率表示画面４４０に表示を切り替えるための占有率ボタン４１４が表示される。また，占有率表示画面４４０には，キーワード表示画面４３０に表示を切り替えるためのキーワードボタン４１３と，フレームマップ表示画面４２０に表示を切り替えるための占有率ボタン４１２が表示される。これにより，各画面の切り替えを可能にする。
【００４６】
図４に示したフレームマップ表示画面４２０（報知部の一例）には，各フレームの配置およびサイズを図示したフレームマップ４２１が表示される。全フレームに占める表示面積が大きいほど，情報量が多く重要性が高い傾向にある。また，中央に配置されるフレームほど，重要性が高い傾向にある。そのため，フレームマップ４２１を表示することで，ユーザは視覚によって各フレームの重要性あるいは情報量を推測することができる。
【００４７】
また，フレームマップ表示画面４２０には，各フレームに対応する印刷ボタン４２２（指定部の一例。図４では，４つのフレーム１，２，３，４に対応する印刷ボタン４２２１，４２２２，４２２３，４２２４）と，全体を１つのフレームとして選択する印刷ボタン４２２５と，終了ボタン４２３とが表示される。印刷ボタン４２２の数は，フレームの数に対応しており，フレームの数に応じて変更される。印刷ボタン４２２のうちいずれか１つが押下されると，そのボタンに対応するフレームが印刷対象として選択される。印刷ボタン４２２５が押下されると，全フレームを１つの画像とした単一フレームが印刷対象として選択される。また，終了ボタン４２３が押下されると，Ｗｅｂページ印刷処理が取り消される。
【００４８】
図５に示したキーワード表示画面４３０（報知部の一例）には，各フレームに含まれる画像情報およびキーワード情報が一覧４３１に表示される。具体的には，各フレームに画像情報が含まれるか否か，含まれる場合にはその画像データのファイル名が表示される。また，各フレームにキーワードが含まれるか否か，含まれる場合には含まれているキーワードが表示される。なお，キーワードは，ＮＶＲＡＭ３４に記憶されており，Ｗｅｂページ印刷処理が開始される前にあらかじめユーザによって登録される。ユーザが登録したキーワードをフレーム内から抽出することで，ユーザは希望する情報がフレームに含まれているか否かを推測することができる。
【００４９】
また，キーワード表示画面４３０には，各フレームに対応する印刷ボタン４３２（指定部の一例。図５では，４つのフレーム１，２，３，４に対応する印刷ボタン４３２１，４３２２，４３２３，４３２４）と，終了ボタン４３３とが表示される。印刷ボタン４３２の数は，フレームの数に対応しており，フレームの数に応じて変更される。印刷ボタン４３２のうちいずれか１つが押下されると，そのボタンに対応するフレームが印刷対象として選択される。また，終了ボタン４３３が押下されると，Ｗｅｂページ印刷処理が取り消される。
【００５０】
図６に示した占有率表示画面４４０（報知部の一例）には，フレームごとに全フレームに占める面積割合（占有率）が一覧４４１に表示される。また，一覧４４１では，各フレームが占有率の大きい順に並べ替えられる。占有率が大きいほど，情報量が多く重要性が高い傾向にある。そのため，各フレームの占有率を表示することで，ユーザは各フレームの重要性あるいは情報量を推測することができる。
【００５１】
また，占有率表示画面４４０には，各フレームに対応する印刷ボタン４４２（指定部の一例。図６では，４つのフレーム１，２，３，４に対応する印刷ボタン４４２１，４４２２，４４２３，４４２４）と，終了ボタン４４３とが表示される。印刷ボタン４４２の数は，フレームの数に対応しており，フレームの数に応じて変更される。印刷ボタン４４２のうちいずれか１つが押下されると，そのボタンに対応するフレームが印刷対象として選択される。また，終了ボタン４４３が押下されると，Ｗｅｂページ印刷処理が取り消される。
【００５２】
プリンタ１００は，フレームマップ表示画面４２０，キーワード表示画面４３０，あるいは占有率表示画面４４０にて印刷ボタンが押下されると，その印刷ボタンに対応するフレームを印刷対象として選択する（Ｓ１０７，選択部の一例）。
【００５３】
一方，フレーム選択方法を自動で行う場合には（Ｓ１０５：ＹＥＳ），選択条件を読み出す（Ｓ１２１）。第１の形態では，Ｗｅｂページ印刷設定画面４１０にて，フレーム自動選択の設定（図２の（３））が可能であり，選択条件として，画像入りフレーム，画像無しフレーム，占有率が最大のフレーム，キーワードを含むフレーム，の各種の選択条件を設定できる。設定された選択条件は，ＮＶＲＡＭ３４に記憶され，Ｗｅｂページ印刷処理のＳ１２１にて読み出される。
【００５４】
例えば，占有率が最大のフレームが情報量も最も多い傾向にあることから，占有率が最大であることを選択条件とすることで，ユーザの希望に適うフレームが選択される可能性が高まる。また，例えば，ユーザが登録したキーワードが含まれているフレームは，ユーザの希望に適うフレームとなる可能性が高い。キーワードの登録ないし削除は，Ｗｅｂページ印刷設定画面４１０への入力によって行うことができ，登録されたキーワードはＲＯＭ３２あるいはＮＶＲＡＭ３４に記憶される。また，例えば，インデックス等の文字のみで構成されているデータを省きたい場合には，画像入りのフレームを印刷対象とするとよい。また，例えば，広告等の画像中心に構成されているデータを省きたい場合には，画像無しのフレームを印刷対象とするとよい。
【００５５】
次に，読み出した選択条件に基づいて，その選択条件に合致するフレームがあるか否かを判断する（Ｓ１２２）。選択条件に合致するフレームが無い場合には（Ｓ１２２：ＮＯ），Ｓ１０６に移行し，手動によるフレームの選択を行う。一方，選択条件に合致するフレームがある場合には（Ｓ１２２：ＹＥＳ），その選択条件に合致したフレームを印刷対象として選択する（Ｓ１２３，選択部の一例）。
【００５６】
Ｓ１０７，Ｓ１２３，あるいはＳ１１１にて印刷対象のフレームを選択した後，フレームに含まれる文字の文字サイズを必要に応じて変更するフォント変更処理を実行する（Ｓ１０８）。Ｓ１０８のフォント変更処理の詳細については後述する。Ｓ１０８によるフォント変更処理の後，印刷対象のフレームを印刷する（Ｓ１０９，印刷部の一例）。Ｓ１０９の後，Ｗｅｂページ印刷処理を終了する。
【００５７】
以上詳細に説明したように，第１の形態のプリンタ１００は，印刷対象データが複数のフレームで構成されていた場合，その印刷対象データを印刷する前に，ユーザの手動選択あるいはユーザがあらかじめ設定した選択条件によって，印刷対象となるフレームを選択する。一方で，印刷対象データが単一のフレームで構成されていた場合には，ユーザに問い合わせることなくそのフレームを選択する。つまり，フレームが複数か否かによって選択方法を分ける。これにより，ユーザの意図を印刷に反映することができ，ユーザの意図を反映することなく印刷してしまうことを回避する。その結果として，ユーザの意図に反する印刷結果となる可能性を低減できる。
【００５８】
［フォント変更処理］
続いて，Ｗｅｂページ印刷処理中の，Ｓ１０８のフォント変更処理（変更部，認証部，文字サイズ取得部，第２変更部の一例）について，図７のフローチャートを参照しつつ説明する。
【００５９】
印刷対象データに含まれる文字の見易さには個人差があり，必ずしもユーザにとって文字が見易い印刷物が得られるとは限らない。例えば，小さい文字が見難いユーザにとっては，文字サイズが小さいとその内容が理解し難い。一方で，小さい文字を見慣れているユーザにとっては，文字サイズが大きいと情報量が少なくなり，不満になる。そのため，文字のサイズを固定してしまうと，一部のユーザにとっては見難い印刷物が出力されてしまうことになる。そこで，第１の形態のプリンタ１００では，フォント変更処理によって，ユーザに応じてフォントを自動変更する。
【００６０】
具体的にプリンタ１００は，図２に示したフレームの選択方法を選択する画面に，フォントの変更方法を設定する画面への切り替えボタン４１１を表示する。そして，切り替えボタン４１１が押下されると，図８に示すようなフォントの変更方法を設定する画面に切り替える。図８に示したフォントの変更方法を選択する画面にも，フレームの選択方法を設定する画面への切り替えボタン４１１を表示する。これにより，両画面の切り替えを可能にする。ユーザは，フレームの選択方法と同様に，Ｗｅｂページ印刷の実行指示であるＯＫボタンを押下する前に，あらかじめフォントの変更方法の設定を行っておく。
【００６１】
具体的に，図８に示したフォントの変更方法を選択する画面（Ｗｅｂページ印刷設定画面４１０）では，文字サイズの変更を行うか否かを設定する文字サイズ変更の設定（図８の（４））や，文字サイズの指定をユーザ別に自動設定するかジョブごとに手動設定するかを設定する文字サイズ指定方法の設定（図８の（５））や，ユーザ別に文字サイズを指定する際，ユーザと文字サイズとを対応付けて設定するユーザ別文字サイズの設定（図８の（６））がある。設定内容は，ＮＶＲＡＭ３４に記憶される。
【００６２】
フォント変更処理では，先ず，フレームに含まれる文字のフォント変更が設定されているか否かを判断する（Ｓ１５０）。具体的には，文字サイズ変更の設定（図８の（４））がオンかオフかを判断する。フォント変更が設定されていない場合には（Ｓ１５０：ＮＯ），文字サイズを変更することなく，フォント変更処理を終了する。
【００６３】
一方，フォント変更が設定されている場合には（Ｓ１５０：ＹＥＳ），選択されたフレームに含まれている文字データを検索する（Ｓ１５１）。そして，選択されたフレームに文字データがあるか否かを判断する（Ｓ１５２）。文字データが無い場合には（Ｓ１５２：ＮＯ），フォントを変更する必要が無いため，フォント変更処理を終了する。
【００６４】
文字データがある場合には（Ｓ１５２：ＹＥＳ），文字サイズ指定方法の設定（図８の（５））がユーザ別自動設定であるか否かを判断する（Ｓ１５３）。ユーザ別自動設定ではない，すなわち手動設定が設定されている場合には（Ｓ１５３：ＮＯ），操作パネル４０のタッチパネル画面４１に図９に示すような文字サイズ手動設定画面４５０を表示する（Ｓ１５４）。
【００６５】
文字サイズ手動設定画面４５０（文字サイズ指定部の一例）には，文字サイズを入力するためのテキストボックス４５１と，ＯＫボタン４５３とが表示される。ユーザは，所望の文字サイズをテキストボックス４５１に入力し，ＯＫボタン４５３を押下する。プリンタ１００は，ＯＫボタン４５３が押下されると，テキストボックス４５１に入力されている文字サイズを取得する（Ｓ１５５）。
【００６６】
一方，ユーザ別自動設定が設定されている場合には（Ｓ１５３：ＹＥＳ），ユーザ認証を行う（Ｓ１６１，認証部の一例）。本形態では，操作パネル４０のタッチパネル画面４１に，ユーザＩＤとパスワードの入力を求め，現在操作パネル４０を操作中のユーザを特定する。
【００６７】
その後，ユーザが特定され，さらにそのユーザについての文字サイズが設定されているか否かを判断する（Ｓ１６２）。ユーザごとの文字サイズは，Ｗｅｂページ印刷設定画面４１０のユーザ別文字サイズの設定（図８の（６））によって設定される。特定されたユーザについての文字サイズが設定されていない場合には（Ｓ１６２：ＮＯ），Ｓ１５４に移行し，手動によって文字サイズを設定する。一方，特定されたユーザについての文字サイズが設定されている場合には（Ｓ１６２：ＹＥＳ），その文字サイズを取得する（Ｓ１６３，文字サイズ取得部の一例）。
【００６８】
Ｓ１５５あるいはＳ１６３によって文字サイズを取得した後，Ｓ１５１で検索された文字列について文字サイズを変更する（Ｓ１５６，変更部，第２変更部の一例）。Ｓ１５６の後，フォント変更処理を終了する。
【００６９】
前述のように，第１の形態のプリンタ１００は，印刷するにあたってユーザ毎に文字サイズを設定でき，印刷対象に含まれる文字の文字サイズを変更できる。本形態のように，ユーザが自由に文字サイズを変更できることで，よりユーザにとって見易い印刷物を出力できる。
【００７０】
なお，前述のフォント変更処理は，Ｗｅｂページ印刷処理におけるフレームの選択構成（Ｓ１０２〜Ｓ１０７，Ｓ１１１，Ｓ１２１〜Ｓ１２３）が無くても一定の効果が得られる。すなわち，Ｗｅｂページ印刷処理において，フレームを選択する処理は無く，印刷対象とするフレームに対してフォント変更処理を行うように構成しても，ユーザにとって見易い印刷物を出力できるという効果は生じる。
【００７１】
［第２の形態］
［プリンタドライバの制御］
従来から，Ｗｅｂブラウザあるいはプリンタドライバの機能としては，Ｗｅｂページのフレームを個別に印刷する技術が実用化されている。しかしながら，この機能についても印刷対象に複数のフレームがあった際に必ずフレームの選択を求めるものではなく，ユーザの自主的な設定行為が必要となる。そのため，ユーザが設定行為を忘れた場合には，印刷結果がユーザの意図に反してしまう可能性がある。そこで，第１の形態においてプリンタ１００が実行しているＷｅｂページ印刷処理を，ＰＣ２００に適用した実施例を説明する。
【００７２】
ＰＣ２００が実行するＷｅｂページ印刷処理は，プリンタドライバ２１０の機能の１つとして組み込まれる。そのため，第２の形態のＷｅｂページ印刷処理は，Ｗｅｂブラウザ等によってＷｅｂページを表示している状態で，そのＷｅｂページの印刷が指示されたことを契機にプリンタドライバ２１０によって実行される。なお，プリンタ１００が実行する，第１の形態のＷｅｂページ印刷処理（図３参照）と同じ処理については，同じ符号を付して説明を省略する。
【００７３】
第２の形態のＷｅｂページ印刷処理では，先ず，印刷対象データを取得する（Ｓ２０１）。ＰＣ２００は，Ｗｅｂブラウザが既にＷｅｂページを取得していることから，Ｗｅｂブラウザがプリンタドライバ２１０に印刷対象データを引き渡す。
【００７４】
その後，Ｓ１０２からＳ１０８までは同じ処理となる。すなわち，印刷対象データ中のフレーム構成を解析し，印刷対象のフレームを選択する。そして，必要に応じてその印刷対象のフレームに含まれる文字の文字サイズを変更する。
【００７５】
Ｓ１０８の後，選択されたフレームのデータに基づいてプリンタ１００用のＰＤＬデータを作成する（Ｓ２０９）。このＰＤＬデータは，ユーザが選択したフレームに基づいて，さらにはユーザが設定した文字サイズに変更されたデータに基づいて作成されたものである。そして，そのＰＤＬデータをプリンタ１００に送信し（Ｓ２１０），Ｗｅｂページ印刷処理を終了する。
【００７６】
以上詳細に説明したように，第２の形態のＰＣ２００のプリンタドライバ２１０は，印刷対象データが複数のフレームで構成されていた場合，その印刷対象データのＰＤＬデータを作成する前に，ユーザの手動選択あるいはユーザがあらかじめ設定した選択条件によって，印刷対象となるフレームを選択する。一方で，印刷対象データが単一のフレームで構成されていた場合には，ユーザに問い合わせることなくそのフレームを選択する。つまり，フレームが複数か否かによって選択方法を分ける。これにより，ユーザの意図を確実に印刷に反映することができ，ユーザの意図を反映することなく印刷してしまうことを回避する。その結果として，ユーザの意図に反する印刷結果となる可能性を低減できる。
【００７７】
なお，本実施の形態は単なる例示にすぎず，本発明を何ら限定するものではない。したがって本発明は当然に，その要旨を逸脱しない範囲内で種々の改良，変形が可能である。例えば，プリンタは，印刷機能を備えるものであればよく，複合機や複写機であっても適用可能である。また，プリンタに印刷ジョブを投入する情報処理装置は，ＰＣに限るものではなく，例えば，スマートフォン等のモバイル装置であってもよい。
【００７８】
また，実施の形態では，Ｗｅｂページ印刷処理を実行するにあたってユーザがＵＲＬ情報を入力しているが，ＵＲＬ情報の取得方法はこれに限るものではない。例えば，ＰＣ２００等を介してプリンタ１００にＵＲＬ情報の登録が可能であり，ユーザはプリンタ１００の操作パネル４０にてその登録されたＵＲＬの中から所望のＵＲＬ情報を選択してもよい。また。ＵＲＬ情報を記憶した場合には，そのＵＲＬ情報とフレームの選択方法（あるいは文字サイズ）とを対応付けて記憶し，ＵＲＬ情報毎にフレームの選択方法（あるいは文字サイズ）を自動選択してもよい。
【００７９】
また，実施の形態では，フレーム手動選択画面として，図４のフレームマップ表示画面４２０と，図５のキーワード表示画面４３０と，図６の占有率表示画面４４０との，３種類が表示可能であるが，これに限るものではない。すなわち，これらのうち，２種類以下の画面を表示してもよいし，新たな選択画面を追加し，４種類以上の画面が表示可能であってもよい。例えば，タッチパネル画面がテキスト表示に限定される場合には，キーワード表示画面４３０，あるいは占有率表示画面４４０の一方を表示するようにしてもよい。
【００８０】
また，実施の形態では，フレーム手動選択画面として，各フレームの情報を画面表示によって報知しているが，これに限るものではない。例えば，音声ガイダンスや，ランプの点灯によって報知してもよい。
【００８１】
また，実施の形態では，図２の（３）のフレーム自動選択の設定として，画像入りフレーム，画像無しフレーム，占有率が最大のフレーム，キーワードを含むフレーム，の４種の選択条件を設定できるが，これらに限るものではない。すなわち，３種類以下の選択条件から設定してもよいし，５種類以上の選択条件から設定可能であってもよい。
【００８２】
また，実施の形態では，フレームの選択方法として，手動と自動とが選択可能であるが，いずれか一方のみの形態であってもよい。自動のみの形態であったとしても，フレームの選択条件についてはユーザが設定していることから，印刷物にユーザの意図を反映することができる。
【００８３】
また，実施の形態では，Ｗｅｂページ印刷処理の中でフォント変更処理を実行しているが，Ｗｅｂページ印刷処理においてフォント変更処理は必須ではない。なお，Ｗｅｂページ印刷処理において，複数のフレームがあった際のフレーム選択を行わず，フォント変更処理を行ったとしても，ユーザにとって見易い印刷物を出力できるという効果は生じる。
【００８４】
また，実施の形態では，Ｗｅｂページ印刷処理の中で，フレーム選択の設定がオンか否かの判断（Ｓ１０２），あるいはフレーム選択方法が自動か否かの判断（Ｓ１０５）を行っているが，Ｗｅｂページ印刷処理においてＳ１０２及びＳ１０５の判断は必須ではない。例えば，Ｗｅｂページ印刷処理では，入力されたＵＲＬ情報を取得し，そのＵＲＬ情報に基づいて印刷対象データを取得し（Ｓ１０１），Ｓ１０１で取得した印刷対象データのフレーム構成を解析する（Ｓ１０３）。次に，印刷対象データが複数のフレームを有しているか否かを判断し（Ｓ１０４），印刷対象データが複数のフレームで構成されている場合には（Ｓ１０４：ＹＥＳ），ユーザにフレームを選択させるためのフレーム手動選択画面を表示する（Ｓ１０６）。そして，プリンタ１００は，フレームマップ表示画面４２０，キーワード表示画面４３０，あるいは占有率表示画面４４０にて印刷ボタンが押下されると，その印刷ボタンに対応するフレームを印刷対象として選択し（Ｓ１０７），印刷対象のフレームを印刷する（Ｓ１０９）。一方，単一のフレームで構成されている場合には（Ｓ１０４：ＮＯ），その単一フレームを選択し（Ｓ１１１），印刷対象のフレームを印刷する（Ｓ１０９）ようにしてもよい。
【００８５】
また，実施の形態では，プリンタ１００（あるいはＰＣ２００）が印刷対象データの取得，複数フレームの判断，印刷対象とするフレームの選択を行っているが，必ずしもこれら取得，判断，選択を１つの装置で行う必要はない。例えば，プリンタ１００（あるいはＰＣ２００）がサーバと接続している場合，上記の取得，判断，選択の少なくとも１つをサーバが実行するように構成してもよい。また，例えば，印刷対象データの取得，複数フレームの判断は，プリンタ１００が行い，印刷対象とするフレームの選択をユーザがＰＣ１００で行うように構成してもよい。
【符号の説明】
【００８６】
１０    画像形成部
３０    制御部
４０    操作パネル
４１    タッチパネル画面
１００  プリンタ
２００  ＰＣ
２１０  プリンタドライバ
３００  Ｗｅｂサーバ
４１０  Ｗｅｂページ印刷設定画面
４２０  フレームマップ表示画面
４３０  キーワード表示画面
４４０  占有率表示画面
【図１】
0005803381.tif 000002
【図２】
0005803381.tif 000003
【図３】
0005803381.tif 000004
【図４】
0005803381.tif 000005
【図５】
0005803381.tif 000006
【図６】
0005803381.tif 000007
【図７】
0005803381.tif 000008
【図８】
0005803381.tif 000009
【図９】
0005803381.tif 000010
【図１０】
0005803381.tif 000011